(57)【要約】【課題】吸込口で生じる風切り音を低減できる電気掃除機の吸込口体を提供する。【解決手段】吸込口体６は、被掃除面に対向する吸込口１２と、吸込口１２に連通する吸込風路１３と、吸込口１２に隣り合うブラシ収納室１４と、ブラシ収納室１４内に回転自在に配置された回転ブラシ１５と、ブラシ収納室１４と吸込風路１３とを互いに連通させる連通穴１６とを備えている。ブラシ収納室１４は被清掃面に対向する開口部１５ａを有している。このような吸込口体６では、吸込口１２の周囲下の空気の一部が、開口部１４ａからブラシ収納室１４に入った後、連通穴１６を通って吸込風路１３に入るので、吸込口１２を通過する風量が少なくなる。【選択図】図３
2010094246.tif 000002
【特許請求の範囲】
【請求項１】
被清掃面に対向する吸込口と、
上記吸込口に連通する吸込風路と、
上記吸込口に隣り合うように形成され、上記被清掃面に対向する開口部を有するブラシ収納室と、
上記ブラシ収納室内に回転自在に配置された回転ブラシと、
上記ブラシ収納室と上記吸込風路とを互いに連通させる連通穴と
を備えたことを特徴とする電気掃除機の吸込口体。
【請求項２】
請求項１に記載の電気掃除機の吸込口体において、
上記吸込風路は出口側に筒状部を有し、
上記連通穴は、その連通穴を上記筒状部の軸方向に投影すると、上記筒状部の内側に重なることを特徴とする電気掃除機の吸込口体。
【請求項３】
請求項２に記載の電気掃除機の吸込口体において、
上記連通穴から吹き出す気流は、上記吸込口から吸引された気流を上記筒状部の軸方向に向けるように、上記筒状部の軸方向に対して傾斜することを特徴とする電気掃除機の吸込口体。
【発明の詳細な説明】
【技術分野】
【０００１】
本発明は、例えばキャニスタ型またはアップライト型などの電気掃除機の吸込口体に関する。
【背景技術】
【０００２】
従来、一般家庭で広く使用されているキャニスタ型の電気掃除機は、電動送風機を搭載した掃除機本体と、その電動送風機の吸引力によって例えば床上の塵埃を吸い込む吸込口体とを備えている。
【０００３】
そして、キャニスタ型の電気掃除機の吸込口としては、特開２０００−３７３２７号公報（特許文献１）の図１に記載されたものが知られている。
【０００４】
この吸込体は、床面側の面つまり下面に吸込口を有する吸込口本体と、この吸込口本体の後部に接続された接続管とを具備する。
【０００５】
そして、上記吸込口本体は、吸込口に連通する吸込風路と、吸込口に隣り合うように形成されたブラシ収納室とを有する。
【０００６】
上記ブラシ収納室には回転ブラシが回転自在に配置されており、この回転ブラシで床上の塵埃をかき上げて吸込口に送っている。
【０００７】
ところで、上記従来の吸込口体では、吸込口は、回転ブラシの回転軸に対して垂直な水平方向の長さが、回転ブラシの回転軸に平行な方向長さに比べて、非常に短くなっている。このため、空気が吸込口を通過すると、吸込口で大きな風切り音が生じるという問題があった。
【特許文献１】特開２０００−３７３２７号公報（図１，図２）
【発明の開示】
【発明が解決しようとする課題】
【０００８】
そこで、本発明の課題は、吸込口で生じる風切り音を低減できる電気掃除機の吸込口体を提供することにある。
【課題を解決するための手段】
【０００９】
上記課題を解決するため、本発明の電気掃除機の吸込口体は、
被清掃面に対向する吸込口と、
上記吸込口に連通する吸込風路と、
上記吸込口に隣り合うように形成され、上記被清掃面に対向する開口部を有するブラシ収納室と、
上記ブラシ収納室内に回転自在に配置された回転ブラシと、
上記ブラシ収納室と上記吸込風路とを互いに連通させる連通穴と
を備えたことを特徴としている。
【００１０】
上記構成の電気掃除機の吸込口体によれば、上記吸込口およびその周囲下の空気は、清掃時、被清掃面上の塵埃と共に吸込口に吸い込まれて吸込風路に流入する。このとき、上記ブラシ収納室と吸込風路とが連通穴を介して互いに連通しているので、吸込口の周囲下の空気の一部が、開口部からブラシ収納室に入った後、連通穴を通って吸込風路に入る。
【００１１】
したがって、上記吸込口を通過する風量が少なくなり、吸込口で生じる風切り音を低減できる。
【００１２】
一実施形態の電気掃除機の吸込口体では、
上記吸込風路は出口側に筒状部を有し、
上記連通穴は、その連通穴を上記筒状部の軸方向に投影すると、上記筒状部の内側に重なる。
【００１３】
上記実施形態の電気掃除機の吸込口体によれば、上記連通穴は、その連通穴を筒状部の軸方向に投影すると、筒状部の内側に重なるので、連通穴から空気を吸引し易くなる。
【００１４】
一実施形態の電気掃除機の吸込口体では、
上記連通穴から吹き出す気流は、上記吸込口から吸引された気流を上記筒状部の軸方向に向けるように、上記筒状部の軸方向に対して傾斜する。
【００１５】
上記実施形態の電気掃除機の吸込口体によれば、上記連通穴から吹き出す気流は、吸込口から吸引された気流を筒状部の軸方向に向けるように、筒状部の軸方向に対して傾斜するので、連通穴から吹き出す気流が吸込風路に流入すると、吸込口から吸引された気流が筒状部の軸方向に向く。
【００１６】
したがって、上記吸込口から吸引された気流が筒状部の内壁に当たることによって生じる騒音を低減できる。
【発明の効果】
【００１７】
本発明の電気掃除機の吸込口体によれば、ブラシ収納室と吸込風路とが連通穴を介して互いに連通することによって、吸込口の周囲下の空気の一部が、吸込口を迂回して、連通穴を通って吸込風路に入るので、吸込口を通過する風量が少なくなり、吸込口で生じる風切り音を低減できる。
【発明を実施するための最良の形態】
【００１８】
以下、本発明の電気掃除機の吸込口体を図示の実施の形態により詳細に説明する。
【００１９】
図１は、本発明の一実施形態の吸込口体６を備えるキャニスタ型電気掃除機の概略斜視図である。
【００２０】
上記電気掃除機は、掃除機本体１と、この掃除機本体１に着脱可能な高剛性の本体側パイプ２と、この本体側パイプ２に一方の端部が接続された可撓性のホース３と、このホース３の他方の端部が接続された高剛性の手元側パイプ４と、この手元側パイプ４に一方の端部が着脱可能であって伸縮自在な高剛性の延長管５と、この延長管５の他方の端部に着脱可能なＴ字形状の吸込口体６とを備えている。
【００２１】
上記掃除機本体１は電動送風機７およびサイクロン集塵機８を搭載している。この電動送風機７は、図示しないが、吸引ファンと、この吸引ファンを回転駆動するモータとから成っている。上記吸引ファンが回転駆動することによって、吸込口体６と被清掃面との間の空気が、吸込口体６内に吸い込まれた後、延長管５、ホース３および本体側パイプ２を流れて、サイクロン集塵機８内に流入する。
【００２２】
上記サイクロン集塵機８は、サイクロン集塵機８内に流入した空気と、この空気が含む塵埃とを遠心分離する。上記塵埃はサイクロン集塵機８に残す一方、その塵埃が除去された空気は、図示しないメッシュフィルタおよびＨＥＰＡ（High Efficiency Particulate Air）フィルタを順次通過した後、掃除機本体１外に出る。
【００２３】
上記手元側パイプ４には把手４ａが形成されている。ユーザは把手４ａを掴んで吸込口体６を被清掃面に対して移動させる。また、図示しないが、上記把手４ａ部は、電動送風機７を制御するためのスイッチや、電動送風機７の動作状況を示す発光部を有している。
【００２４】
図２は、回転ブラシ１５を外した状態における吸込口体６を斜め下方から見た斜視図である。また、図３は上記吸込口体６の鉛直断面図である。なお、以下の説明において、「左右方向」は回転ブラシ１５の回転軸に平行な方向に相当し、前後方向は回転ブラシ１５の回転軸に垂直な水平方向に相当する。
【００２５】
上記吸込口体６は、図３に示すように、吸込口本体９と、この吸込口本体９の後部の左右方向の中央から後方に向かって延びる中継管１０と、この中継管１０に接続された接続管１１とを備えている。
【００２６】
上記吸込口本体９は、掃除の対象とされる床等の被掃除面に対向する吸込口１２と、この吸込口１２に連通する吸込風路１３と、その吸込口１２の前方に形成されて吸込口１２に隣り合うブラシ収納室１４と、ブラシ収納室１４内に回転自在に配置された回転ブラシ１５と、ブラシ収納室１４と吸込風路１３とを互いに連通させる連通穴１６とを備えている。
【００２７】
上記吸込口１２は、図２に示すように、吸込口本体９の左右方向において細長く形成されている。そして、上記吸込口１２の左右方向の中央部が吸込風路１３に連なっている。
【００２８】
上記吸込風路１３は、図３に示すように、出口側に形成された円筒部１３ａと、入口側に形成された案内部１３ｂとで構成されている。なお、上記円筒部１３ａは筒状部の一例である。
【００２９】
上記案内部１３ｂは、吸込口１２を通過した空気を円筒部１３ａへ案内する。また、上記案内部１３ｂは、内部の空間が吸込口１２から円筒部１３ａに近づくにつれて小さくなるように形成されている。
【００３０】
上記ブラシ収納室１４は、被清掃面に対向する開口部１４ａと、鉛直断面で略円弧形状を呈する壁１４ｂとを有している。この壁１４ｂは、ブラシ収納室１４内の空間と中継室１７内の空間との間から、ブラシ収納室１４内の空間と吸込口１２内の空間との間まで延びている。
【００３１】
上記回転ブラシ１５は、軸部１５ａと、この軸部１５ａの外周部に螺旋状に取り付けられた３つのブラシ部１５ｂ，１５ｃ，１５ｄとで構成され、吸込口本体９に搭載されたモータ（図示せず）によって回転駆動される。また、上記ブラシ部１５ｂ，１５ｃ，１５ｄは形状および機能が互いに異なっている。
【００３２】
上記連通穴１６は、左右方向に細長く延びてブラシ収納室１４の壁１４ｂを貫通する穴である。また、上記連通穴１６は、円筒部１３ａの中心軸Ｌ１から下方へ円筒部１３ａの内径の約１／４下がった位置に形成されている。また、上記連通穴１６は、図２〜図４に示すように、その連通穴１６を円筒部１３ａの軸方向に投影すると、円筒部１３ａの内側に重なる。また、上記連通穴１６の左右方向の長さは、円筒部１３ａの内径よりも長くなっている。
【００３３】
上記連通穴１６から吸込風路１３へ向かって吹き出す気流は、吸込口１２から吸込風路１３に吸引された気流を円筒部１３ａの軸方向に向けるように、円筒部１３ａの軸方向に対して傾斜する。すなわち、円筒部１３ａの中心軸Ｌ１を含む鉛直断面において、円筒部１３ａの中心軸Ｌ１と、気流が吸込口１２から吸込風路１３に向かう方向（矢印Ａ２の方向）とが成す角よりも、円筒部１３ａの中心軸Ｌ１と、気流が連通穴１６から吸込風路１３に向かう方向（矢印Ａ１の方向）とが成す角の方が、小さくなるように連通口１６は設けられている。
【００３４】
上記中継管１０は吸込風路１３の空気を接続管１１に中継する。つまり、上記吸込風路１３の空気は中継管１０を介して接続管１１内に流入する。このような空気の中継は、接続管１１の中心軸Ｌ２が水平面に対して水平であっても、あるいは、水平面に対して傾斜していても行われる。
【００３５】
上記接続管１１は、吸込口１２および吸込風路１３と連通するように吸込口本体９に連結されている。そして、上記接続管１１の一方の端部は中継管１０に回転可能に支持されているので、接続管１１を回転軸Ｐ（図３の図面に対して垂直方向に延びる軸）を中心に回動させて、接続管１１の中心軸Ｌ２を水平面に対して傾斜させることができる。また、上記接続管１１の他方の端部は、延長管５の他方の端部に着脱可能に形成されている。
【００３６】
また、上記接続管１１には、中継管１０に受け入れられる端部において、その前部と後部それぞれの外側に、回動の支点Ｐを中心に凸球面状に膨らんだ前カバー１８と後カバー１９が取り付けられている。
【００３７】
また、図２において、２０は図示しない車輪を取り付けるための車輪取付用凹部、２１は図示しない車輪を取り付けるための車輪取付用段部である。
【００３８】
上記構成の電気掃除機によれば、ユーザが把手４ａ部のスイッチを操作して、電動送風機７の吸引ファンが回転駆動すると、吸込口１２およびその周囲下の空気は、被清掃面上の塵埃と共に吸込口１２に吸い込まれて吸込風路１３に流入する。このとき、上記吸込口１２の周囲下の空気の一部は、開口部１４ａからブラシ収納室１４に入って連通穴１６から吸込風路１３に向かって吹き出す。
【００３９】
したがって、上記吸込口１２を通過する風量が少なくなり、吸込口１２で生じる風切り音を低減できる。
【００４０】
また、上記連通穴１６をブラシ収納室１４の壁１４ｂに形成していることによって、ブラシ収納室１４内の空間が負圧となるので、回転ブラシ１５の塵埃のかき上げ能力が高くなる。
【００４１】
したがって、上記吸込口１２を通過する風量が少なくても、回転ブラシ１５から吸込口１２へ送れる塵埃の量が増えるので、清掃能力の低下を防ぐことができる。
【００４２】
ところで、上記連通穴１６の代わりに、壁１４ｂの下端部の左右方向の中央部に切り欠き部を設けると、吸込口１２の左右方向の両端部を通過する風量が極端に少なくなってしまう。こうなると、上記吸込口１２の左右方向の両端部で塵埃を十分に吸い込めなくなる。
【００４３】
これに対して、上記実施形態では、吸込口１２の左右方向の両端部を通過する風量をあまり少なくすることなく、吸込口１２の左右方向の両端部での塵埃の吸い込み能力を十分に確保することができる。
【００４４】
また、上記実施形態では、連通穴１６は、その連通穴１６を円筒部１３ａの軸方向に投影すると、円筒部１３ａの内側に重なるので、連通穴１６から円筒部１３ａ内への空気の吸引が容易である。
【００４５】
また、上記連通穴１６から矢印Ａ１の方向に吹き出す気流が、吸込口１２から矢印Ａ２の方向に吹き出す気流に合流するので、吸込口１２から矢印Ａ２の方向に吹き出す気流が円筒部１３ａの軸方向に向く。
【００４６】
したがって、上記吸込口１２から吸込風路１３に吸引された気流が円筒部１３ａの上部に当たることによって生じる騒音を低減できる。
【００４７】
上記実施形態では、壁１４ｂに１つの連通穴１６を形成していたが、壁１４ｂに複数の連通穴を形成してもよい。例えば、上記連通穴１６の左右方向の両側に、連通穴１６と同形状の連通穴を形成してもよい。
【００４８】
上記実施形態では、ブラシ収納室１４内に回転ブラシ１５を回転自在に配置し、その回転ブラシ１５をモータで回転駆動していたが、ブラシ収納室１４内に回転ブラシ１５を回転自在に配置するだけでもよい。つまり、上記回転ブラシ１５を回転駆動するモータを吸込口本体９に搭載しなくてもよい。
【００４９】
上記実施形態では、出口側に円筒部１３ａを有する吸込風路１３を用いていたが、出口側に楕円形状の筒部を有する吸込風路を用いてもよい。
【００５０】
本発明の吸込口体は、上記実施形態のように、キャニスタ型電気掃除機に用いてもよいし、アップライト型電気掃除機または掃除ロボットなどに用いてもよい。
【００５１】
また、言うまでもないが、本発明の吸込口体は、掃除機本体がサイクロン方式であっても紙パック方式であっても使用できる。
【図面の簡単な説明】
【００５２】
【図１】図１はキャニスタ型電気掃除機の概略斜視図である。
【図２】図２は本発明の一実施形態の吸込口体の下方斜視図である。
【図３】図３は上記吸込口体の鉛直断面図である。
【図４】図４は図３のIV−IV線の矢視断面図である。
【符号の説明】
【００５３】
６  吸込口体
１２  吸込口
１３  吸込風路
１４  ブラシ収納室
１５  回転ブラシ
１６  連通穴
【図１】
2010094246.tif 000003
【図２】
2010094246.tif 000004
【図３】
2010094246.tif 000005
【図４】
2010094246.tif 000006